(57)【要約】【課題】  重心が移動しても、変位したり末端が浮き上がったりすることがなく、使用する際の安定性を高めることができる収納ケースの組立構造を提供する。【解決手段】  収納ケースの組立構造は、複数の収納ケース１０及び１つ以上の挟着片２０を備える。収納ケース１０は、ベース１１、カバー、２つの支持プレート１３及び物品入れをそれぞれ有する。ベース１１は、頂面の末端近くに係止凹縁が凹設され、底面両側に複数のキャスタ１１５が枢着される。カバーは、頂面両側に複数の係止凹部１２１が開設され、底面の末端近くに複数の係止凹槽１２３が凹設され、係止凹槽１２３の両側に、複数の取り付け孔が設けられる。挟着片２０は、コの字型をなし、一方の端部にフック部２１が設けられ、他方の端部に押圧係合部２２が設けられる。【選択図】  図２
0003168399.tif 000002
【実用新案登録請求の範囲】
【請求項１】
複数の収納ケース及び該複数の収納ケースを連結して固定するための１つ以上の挟着片とからなる収納ケースの組立構造であって、
前記収納ケースは、ベース、カバー、２つの支持プレート及び物品入れをそれぞれ有し、
前記ベースは、頂面の末端近くに係止凹縁が凹設され、底面両側に複数のキャスタが枢着され、
前記カバーは、頂面両側に複数の係止凹部が開設され、底面の末端近くに複数の係止凹槽が凹設され、前記係止凹槽の両側に、複数の取り付け孔が設けられ、
前記支持プレートは、上下縁の両端に複数の上嵌合部及び複数の下嵌合部がそれぞれ突設され、前記上嵌合部は、前記カバーの前記取り付け孔に嵌合され、前記下嵌合部は、前記ベースの組立孔に嵌合され、
前記物品入れは、前記ベースと前記カバーとの間に摺設され、
前記挟着片は、コの字型をなし、一方の端部にフック部が設けられ、他方の端部に押圧係合部が設けられ、
前記収納ケースの１つを下層として用い、前記下層の収納ケース上に他の前記収納ケースを一層ずつ積み重ね、上層の前記収納ケースの前記ベースに枢着された前記キャスタを下層の前記収納ケースの前記カバーに凹設された前記係止凹部に係止させ、下層の前記収納ケースの前記カバーに凹設された前記係止凹槽に、前記挟着片の前記フック部を引っ掛け、前記挟着片の前記押圧係合部を僅かに上方に曲げ、前記押圧係合部が上層の前記収納ケースの前記ベースの末端を超えた箇所で復位させ、上層の前記収納ケースの前記ベースに凹設された前記係止凹縁に引っ掛けてなることを特徴とする収納ケースの組立構造。
【請求項２】
前記ベースの頂面両側には、摺動レールが対称的に設けられ、２つの前記摺動レールの外側には、複数の組立孔が開設され、２つの前記摺動レール間には、複数の支持キャスタが枢着され、前記物品入れの底面両側には、前記ベースの前記摺動レールに摺設される２つの補助キャスタが枢着され、前記物品入れの底面は、前記ベースの前記支持キャスタに接することを特徴とする請求項１に記載の収納ケースの組立構造。
【請求項３】
前記カバーは、前記係止凹部間に複数の結合孔が開設され、前記ベースは、各前記キャスタ間に複数の凸部が設けられ、前記凸部には、位置決め部材を嵌設するために用いる嵌合孔が開設され、前記位置決め部材には、上層の前記収納ケースの前記ベースに開設された前記嵌合孔で止められるストップ縁と、下層の前記収納ケースの前記カバーに開設された前記結合孔に嵌設される挿抜部とが順次延設されていることを特徴とする請求項１に記載の収納ケースの組立構造。
【請求項４】
前記物品入れの端面には、引き出し面が傾斜するように設けられ、前記引き出し面の底端には、握持槽が凹設され、前記引き出し面の両側辺には、ストッパ部が突設され、前記物品入れは、前記ストッパ部が前記支持プレートで止められ、一方向のみにしか引き出せないように位置規制されることを特徴とする請求項１に記載の収納ケースの組立構造。
【考案の詳細な説明】
【技術分野】
【０００１】
本考案は、収納ケースの組立構造に関するものであり、さらに詳しくは、特に、上層の収納ケースのベースと下層の収納ケースのカバーとの末端を挟着片により固定する収納ケースの組立構造に関するものである。
【背景技術】
【０００２】
収納ケースは、物品の収納または分類・整理機能を有するため、広く普及している。一般的な引き出し式収納ケースは、ラック状のケーシング内に引き出しが摺設されるように構成されている。複数の収納ケースを組み合わせて使用する場合、単純な配列方式で組み合わせるしかないが、直接積み重ねた場合、全体の高さが高くなり、また、ユーザが引き出しを引き出すとき、ケーシングが同時に動いて収納ケースが傾いたり倒れたりする虞がある。このような問題に鑑み、位置規制の機能を備えた収納ケース構造がすでに開発されている。
【０００３】
図６及び図７を参照する。図６及び図７に示すように、従来の収納ケースは、少なくとも支持ベース３０、カバー体４０、支柱５０及び物品入れ６０から構成される。支持ベース３０の頂面両側には、複数の接続部３１が突設されている。接続部３１の頂面には、組立孔３２が開設されている。支持ベース３０の底面の四隅には、キャスタ３３がそれぞれ枢着されている。キャスタ３３に隣接した箇所には、位置規制凸部３４が突設されている。カバー体４０の頂面には、係止凹枠４１が凹設されている。係止凹枠４１の四隅に隣接した箇所には、係止凹部４２がそれぞれ凹設されている。カバー体４０の底面には、嵌合孔４３が開設されている。支柱５０の両側には、上爪部５１及び下爪部５２が設けられている。上爪部５１は、カバー体４０の嵌合孔４３に嵌合されている。下爪部５２は、支持ベース３０の組立孔３２に嵌合されている。物品入れ６０は、支持ベース３０とカバー体４０との間に摺設されている。従来技術では、収納ケースを組み合わせるとき、１つの収納ケースを下層として用い、もう１つの収納ケースをその上に積み重ねる。下層の収納ケースの係止凹部４２に、上層の収納ケースのキャスタ３３を係合させ、下層の収納ケースの係止凹枠４１に、上層の収納ケースの位置規制凸部３４を係合させることにより、一層ずつ積み重ねることができる。
【０００４】
しかしながら、従来の収納ケースの組立構造には、以下（１）及び（２）の欠点がある。
（１）ユーザが物品入れ６０を外に引き出し、半分開けた状態で物を出し入れするとき、物品入れ６０の重量が瞬間的に収納ケースの前端に集中し、収納ケースの末端が浮き上がり、傾いたり倒れる虞がある。
（２）各支柱５０は、支持ベース３０の組立孔３２に装着する必要があるため、組立工程が非常に煩瑣となり、容易に組み立てることができない虞がある。
【０００５】
かかる状況下において、特許第３６３９２３７号公報（以下、「特許文献１」という。）には、引き出しが多数に設けられ、衣類や玩具等を収納する幅挟で高い収納ケースに使用される収納ケース用留具が記載されている。
【０００６】
しかし、従来の収納ケースの組立構造として問題とされている点については、未だ十分改善されていない。
【特許文献１】特許第３６３９２３７号公報
【考案の開示】
【考案が解決しようとする課題】
【０００７】
従って、本考案の第１の課題は、複数の収納ケースの組立構造において、重心が移動しても末端が浮き上がるようなことがなく、安定性に優れた収納ケースの組立構造を提供することにある。
【０００８】
また、本考案の第２の課題は、複数の収納ケースの組立構造において、支柱を装着しなくとも簡単に組立可能な収納ケースの組立構造を提供することにある。
【０００９】
さらに、本考案の第３の課題は、複数の収納ケースの組立構造において、物品入れが引き出されるときの摩擦抵抗力を小さくし、ユーザが小さい労力で物品入れをスムーズに引き出すことができる収納ケースの組立構造を提供することにある。
【課題を解決するための手段】
【００１０】
そこで、本考案者は、前記の本考案の第１の課題を解決するため鋭意検討を重ねた結果、本考案の第１の課題に対しては、上層の収納ケースのベースと下層の収納ケースのカバーとの末端を挟着片で固定することにより、重心が移動しても、変位したり末端が浮き上がったりすることがなく、使用する際の安定性を高めることができる収納ケースの組立構造を提供することに着目し、かかる知見に基いて本考案に想到した。
【００１１】
また、本考案の第２の課題を解決するため鋭意検討を重ねた結果、本考案の第２の課題に対しては、ベースとカバーとが２つの支持プレートにより接続されるため、従来技術のように支柱を装着しなくても簡単に組み立てることができる収納ケースの組立構造を提供することにある。
【００１２】
さらに、本考案の第３の課題を解決するため鋭意検討を重ねたところ、本考案の第３の課題に対して、物品入れが引き出される場合に物品入れの底面両側に枢設された２つの補助キャスタと、ベースの２つの摺動レール間に枢設された複数の支持キャスタとにより、物品入れが引き出されるときの摩擦抵抗力を小さくし、ユーザが、スムーズに少ない労力で物品入れを引き出すことができる収納ケースの組立構造を提供することにある。
【００１３】
かくして、上記課題を解決するために、本考案によれば、
複数の収納ケース及び該複数の収納ケースを連結し固定するための１つ以上の挟着片とからなる収納ケースの組立構造であって、
前記収納ケースは、ベース、カバー、２つの支持プレート及び物品入れをそれぞれ有し、
前記ベースは、頂面の末端近くに係止凹縁が凹設され、底面両側に複数のキャスタが枢着され、
前記カバーは、頂面両側に複数の係止凹部が開設され、底面の末端近くに複数の係止凹槽が凹設され、前記係止凹槽の両側に、複数の取り付け孔が設けられ、
前記支持プレートは、上下縁の両端に複数の上嵌合部及び複数の下嵌合部がそれぞれ突設され、前記上嵌合部は、前記カバーの前記取り付け孔に嵌合され、前記下嵌合部は、前記ベースの組立孔に嵌合され、
前記物品入れは、前記ベースと前記カバーとの間に摺設され、
前記挟着片は、コの字型をなし、一方の端部にフック部が設けられ、他方の端部に押圧係合部が設けられ、前記収納ケースの１つを下層として用い、
前記下層の収納ケース上に他の前記収納ケースを一層ずつ積み重ね、上層の前記収納ケースの前記ベースに枢着された前記キャスタを下層の前記収納ケースの前記カバーに凹設された前記係止凹部に係止させ、下層の前記収納ケースの前記カバーに凹設された前記係止凹槽に、前記挟着片の前記フック部を引っ掛け、前記挟着片の前記押圧係合部を僅かに上方に曲げ、前記押圧係合部が上層の前記収納ケースの前記ベースの末端を超えた箇所で復位させ、上層の前記収納ケースの前記ベースに凹設された前記係止凹縁に引っ掛けてなることを特徴とする収納ケースの組立構造
が提供される。
【００１４】
前記ベースの頂面両側には、摺動レールが対称的に設けられ、２つの前記摺動レールの外側には、複数の組立孔が開設され、２つの前記摺動レール間には、複数の支持キャスタが枢着され、前記物品入れの底面両側には、前記ベースの前記摺動レールに摺設される２つの補助キャスタが枢着され、前記物品入れの底面は、前記ベースの前記支持キャスタに接することが好ましい。
【００１５】
前記カバーは、前記係止凹部間に複数の結合孔が開設され、前記ベースは、各前記キャスタ間に複数の凸部が設けられ、前記凸部には、位置決め部材を嵌設するために用いる嵌合孔が開設され、前記位置決め部材には、上層の前記収納ケースの前記ベースに開設された前記嵌合孔で止められるストップ縁と、下層の前記収納ケースの前記カバーに開設された前記結合孔に嵌設される挿抜部とが順次延設されていることが好ましい。
【００１６】
前記物品入れの端面には、引き出し面が傾斜するように設けられ、前記引き出し面の底端には、握持槽が凹設され、前記引き出し面の両側辺には、ストッパ部が突設され、前記物品入れは、前記ストッパ部が前記支持プレートで止められ、一方向のみにしか引き出せないように位置規制されることが好ましい。
【図面の簡単な説明】
【００１７】
【図１】本考案の一実施形態による収納ケースの組立構造を示す斜視図である。
【図２】本考案の一実施形態による収納ケースの組立構造を示す分解斜視図及び部分拡大図である。
【図３】本考案の一実施形態による収納ケースの組立構造を示す分解斜視図である。
【図４】本考案の一実施形態による収納ケースの組立構造を示す断面斜視図及び部分拡大図である。
【図５】本考案の一実施形態による収納ケースの組立構造を示す断面図及び部分拡大図である。
【図６】従来の収納ケースを示す斜視図である。
【図７】従来の収納ケースを示す断面図である。
【考案を実施するための最良の形態】
【００１８】
以下、本考案の実施形態について図面に基づいて説明する。なお、これによって本考案が限定されるものではない。
【００１９】
図１〜図３を参照する。図１〜図３に示すように、本考案の一実施形態による収納ケースの組立構造は、少なくとも複数の収納ケース１０及び１つ以上の挟着片２０から構成される。
【００２０】
収納ケース１０は、ベース１１、カバー１２、２つの支持プレート１３及び物品入れ１４を有する。ベース１１の頂面両側には、摺動レール１１１が対称的に設けられている。２つの摺動レール１１１の外側には、複数の組立孔１１２が開設されている。２つの摺動レール１１１間には、複数の支持キャスタ１１３が枢着されている。支持キャスタ１１３の反対側の位置には、係止凹縁１１４が凹設されている。ベース１１の底部両側には、複数のキャスタ１１５が枢着されている。各キャスタ１１５間には、複数の凸部１１６が設けられている。凸部１１６には、位置決め部材１１８を嵌設するために用いる嵌合孔１１７が開設されている。位置決め部材１１８には、ストップ縁１１８１、挿抜部１１８２が順次延設されている。カバー１２の頂面両側には、複数の係止凹部１２１が開設されている。各係止凹部１２１間には、複数の結合孔１２２が開設されている。カバー１２の底面の末端部に近い箇所には、複数の係止凹槽１２３が凹設されている（図４参照）。係止凹槽１２３の両側には、複数の取り付け孔１２４が開設されている。支持プレート１３の上下縁の両端には、複数の上嵌合部１３１及び複数の下嵌合部１３２が突設されている。上嵌合部１３１は、カバー１２の取り付け孔１２４に嵌合される。下嵌合部１３２は、ベース１１の組立孔１１２に嵌合される。物品入れ１４は、ベース１１とカバー１２との間に摺設される。物品入れ１４の端面には、引き出し面１４１が傾斜するように設けられている。引き出し面１４１の底端には、握持槽１４２が凹設されている。引き出し面１４１の両側辺には、ストッパ部１４３が突設されている。物品入れ１４は、ストッパ部１４３が支持プレート１３で止められることにより、一方向のみにしか引き出されないように位置規制される。物品入れ１４の底面両側には、２つの補助キャスタ１４４が枢設されている。補助キャスタ１４４は、ベース１１の摺動レール１１１に摺設されている。物品入れ１４の底面は、ベース１１の支持キャスタ１１３に接する。挟着片２０は、コの字型をなし、一方の端部に、フック部２１が延設され、他方の端部に、押圧係合部２２が延設されている。
【００２１】
図２、図４及び図５を参照する。図２、図４及び図５に示すように、本考案の一実施形態による収納ケースの組立構造を実際に使用し、１つの収納ケース１０を下層として用い、他の収納ケース１０をその上に一層ずつ重ねていく場合、まず、上層の収納ケース１０のベース１１に設けられた嵌合孔１１７に、位置決め部材１１８を嵌設し、位置決め部材１１８のストップ縁１１８１を嵌合孔１１７の端縁で止める。上層の収納ケース１０を下層の収納ケース１０の上に積み重ね、位置決め部材１１８の挿抜部１１８２を収納ケース１０のカバー１２に設けられた結合孔１２２に嵌設させ、下層の収納ケース１０のカバー１２に凹設された係止凹部１２１に、上層の収納ケース１０のベース１１に枢着されたキャスタ１１５を係合させる。続いて、下層の収納ケース１０のカバー１２に凹設された係止凹槽１２３に、挟着片２０のフック部２１を引っ掛け、挟着片２０の押圧係合部２２を僅かに上に曲げ、上層の収納ケース１０のベース１１の末端を超えた箇所で復位させ、上層の収納ケース１０のベース１１に凹設された係止凹縁１１４に係合させ、組立を完成させる。
【００２２】
上述したことから分かるように、本考案の収納ケースの組立構造は、以下（１）〜（３）の長所を有する。
（１）上層の収納ケース１０のベース１１と下層の収納ケース１０のカバー１２との末端が挟着片２０により固定されるため、収納ケース１０の重心が移動しても、変位したり末端が浮き上がったりすることがなく、使用する際の安定性を高めることができる。
（２）ベース１１とカバー１２とが２つの支持プレート１３により接続されるため、従来技術のように支柱を装着する必要がなく、簡単に組み立てることができる。
（３）物品入れ１４の底面両側に枢設された２つの補助キャスタ１４４と、ベース１１の２つの摺動レール１１１間に枢設された複数の支持キャスタ１１３とにより、物品入れ１４が引き出されるときの摩擦抵抗力が小さくなり、ユーザは、スムーズに少ない労力で物品入れ１４を引き出すことができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  収納ケース
１１  ベース
１２  カバー
１３  支持プレート
１４  物品入れ
２０  挟着片
２１  フック部
２２  押圧係合部
３０  支持ベース
３１  接続部
３２  組立孔
３３  キャスタ
３４  位置規制凸部
４０  カバー体
４１  係止凹枠
４２  係止凹部
４３  嵌合孔
５０  支柱
５１  上爪部
５２  下爪部
６０  物品入れ
１１１  摺動レール
１１２  組立孔
１１３  支持キャスタ
１１４  係止凹縁
１１５  キャスタ
１１６  凸部
１１７  嵌合孔
１１８  位置決め部材
１２１  係止凹部
１２２  結合孔
１２３  係止凹槽
１２４  取り付け孔
１３１  上嵌合部
１３２  下嵌合部
１４１  引き出し面
１４２  握持槽
１４３  ストッパ部
１４４  補助キャスタ
１１８１  ストップ縁
１１８２  挿抜部
【図１】
0003168399.tif 000003
【図２】
0003168399.tif 000004
【図３】
0003168399.tif 000005
【図４】
0003168399.tif 000006
【図５】
0003168399.tif 000007
【図６】
0003168399.tif 000008
【図７】
0003168399.tif 000009